(57)【要約】【課題】自毛の損傷を防止できて、しかも頭部への装着が容易なかつらを提供する。【解決手段】互に接離自在な雄側シート２ｂと雌側シート２ａとからなる接離シート２の雌側シート２ａを、多数の毛髪１ｄを植設したかつらベース１ａの内面の周辺部に縫着したかつら部材１と、前記雄側シート２ｂをそれぞれかつら止めピン３ａに貼着して形成したかつら取付部材３とからなるかつらとし、該かつら取付部材３の自毛への取付け位置を多少変更しても、前記かつら部材１を頭部へ取付けられるようにした。【選択図】        図１
2004183120.tif 000002
【特許請求の範囲】
【請求項１】
互に接離自在の接離シートの一方のシートを、多数の毛髪を植設したかつらベースの内面の周辺部に縫着したかつら部材と、前記接離シートの他方のシートを頭部の毛髪に係着可能な止めピン或いは頭皮に粘着可能な粘着シートに貼着して形成したかつら取付部材とからなるかつら。
【請求項２】
前記接離シートは、多数の釣り針状の第１係止突部を有する雄側シートと、これら係止突部がそれぞれ係脱可能な多数のループ状の係止受部を有する雌側シートとからなる請求項１に記載のかつら。
【請求項３】
前記一方のシートは前記かつらベースの周辺部の少なくとも半周以上の長さの帯状体に形成されている請求項１又は請求項２に記載のかつら。
【請求項４】
前記一方のシートは複数の略長方形体に形成されている請求項１又は請求項２に記載のかつら。
【請求項５】
前記一方のシートは前記かつらベースの周辺部の少なくとも半周以上の長さの複数の内外の帯状体からなる請求項１又は請求項２に記載のかつら。
【請求項６】
前記止めピンは、湾曲反転部材と櫛歯状に多数の突片を突設したピン部とからなる請求項１に記載のかつら。
【請求項７】
前記粘着シートの粘着剤の主剤としてアクリル酸エステル樹脂或いはシリコン樹脂を使用した請求項１に記載のかつら。
【発明の詳細な説明】
【０００１】
【発明の属する技術分野】
本発明は、自毛の損傷を防止できて、しかも頭部への装着が容易なかつらに関する。
【０００２】
【従来の技術】
従来のかつらとしては、毛髪を植設したかつらベースの内側の周縁部に複数個の止めピンを結着したものが知られている（例えば特許文献１、特許文献２、特許文献３参照。）。
【０００３】
【特許文献１】
実公平２−３５７６１号公報（第４図）
【特許文献２】
実公平２−３５７７３号公報（第５図）
【特許文献３】
実公平４−７１４８号公報（第５図）
【０００４】
【発明が解決しようとする課題】
止めピンを有するかつらを装着する時には、該止めピンを自毛に係着してかつらを取付けるようにしている。
【０００５】
しかし、従来のかつらは前記止めピン位置がかつらの内面の固定された位置にあるため、かつらの装着時には常に同じ個所の自毛を前記止めピンが挟むようになり、このため挟まれた自毛が痛んだり抜けたりするという問題があった。
【０００６】
又、自毛の頭髪の生えている個所が移動又は後退をした場合に、前記かつらが使えなくなるという問題があった。
【０００７】
本発明はこれらの問題点を解消し、自毛の損傷を防止できて、しかも頭部への装着が容易なかつらを提供することを目的とする。
【０００８】
【課題を解決するための手段】
本発明は上記の目的を達成すべく、互に接離自在の接離シートの一方のシートを、多数の毛髪を植設したかつらベースの内面の周辺部に縫着したかつら部材と、前記接離シートの他方のシートを頭部の毛髪に係着可能な止めピン或いは頭皮に粘着可能な粘着シートに貼着して形成したかつら取付部材とからなる。
【０００９】
【発明の実施の形態】
本発明の第１の実施の形態を図面により説明する。
【００１０】
図１は本発明のかつらのかつら部材１の裏面図を示し、１ａはかつらベース、１ｂは該かつらベース１ａの周辺部の布製等からなる周辺保持部、１ｃは該周辺保持部１ｂに縫着されている該周辺保持部１ｂの内方のネットを示し、これら周辺保持部１ｂとネット１ｃとにより前記かつらベース１ａを構成する。そしてこれら周辺保持部１ｂとネット１ｃの外表面の全面にわたり毛髪１ｄが植設されている。
【００１１】
２は接離自在の接離シートを示し、該接離シート２は例えばベルベットファスナー如きものからなり、該接離シート２の一方のシートである雌側シート２ａは、図２の如くその表面に弾性を有する多数のループ状の係止受部２ｃを密に突設して形成され前記周辺保持部１ｂの内表面に全周にわたり縫着されている。
【００１２】
図３は本発明のかつらのかつら取付部材３の表側の斜視図を示し、該かつら取付部材３の片面全体に前記接離シート２の雄側シート２ｂが貼着され、該雄側シート２ｂは、図４の如くその表面に弾性を有する多数の釣り針状の係止突部２ｄを密に突設して形成されている。
【００１３】
又、図５は前記かつら取付部材３の裏側の斜視図を示し、３ａはかつら止めピン、３ｂは該かつら止めピン３ａに設けた櫛歯状のピン部を示す。
【００１４】
該かつら止めピン３ａは、かつら取付部材３の本体部を形成しており、該本体部分はばね鋼製で、前後に反転可能に形成されている。
【００１５】
次に本実施の形態のかつらの使用方法及びその利点について説明する。
【００１６】
本発明のかつらは、頭の周辺部分に自毛が残っている人に対して用いると好都合である。
【００１７】
かつらを使用するときは、図６に示す如く、先ず頭の周辺部の自毛の部分に複数個のかつら取付部材３を、各々かつら止めピン３ａにて係止して取付ける。
【００１８】
尚、このかつら取付部材３の取付け数は４個程度がよい。
【００１９】
このとき、かつら止めピン３ａは、前記本体部分の反転作用を利用して、本体部分と前記櫛歯状のピン部３ｂとの間に自毛を挟持して係止される。
【００２０】
続いて図７に示す如く、かつら部材１を前記かつら取付部材３の上から被ると、かつら部材１の内側に形成されている接離シート２の雌側シート２ａと前記取付部材３の表側を形成する接離シート２の雄側シート２ｂとが互いに接着して、かつら部材１が頭部に取付けられ、ずれたり外れたりすることはない。
【００２１】
尚、前記雄側シート２ｂと前記雌側シート２ａとは、各々に密植して突設されている前記釣針状の係止突部２ｄ又は前記ループ状の係止受部２ｃが互いに係合してからみ合い、雄雌両シートが接着状態となるが、これらは力を入れて引き離すことにより、互いを剥がすことができる。
【００２２】
又、前記かつら取付部材３の頭上での取付け位置を前後左右にずらしても、前記かつら部材１の雌側シート２ａと少許の重なり部分さえあれば、かつら部材１を頭部に取付けることができる。このため、前記かつら取付部材３を毎回頭上の異なる位置に取付けて、止めピン３ａにより自毛が痛むのを防止することができる利点を有する。
【００２３】
図８は本発明の第２の実施の形態を示し、この実施の形態のかつら部材１はその前頭部に当接する部分の雌側シート２ａを欠いたものであり、前頭部に自毛を有さない人に好適である。
【００２４】
図９は本発明の第３の実施の形態を示し、この実施の形態においては、略長方形状の複数の例えば４枚の雌側シート２ａをかつらベース１ａの周辺保持部１ｂに互に間隔を保持して縫着している。ここで各雌側シート２ａはかつら取付部材３より長く形成されているので、各取付部材３は各雌側シート２ａ上で該雌側シート２ａに沿って異なる位置に取付けることができる。
【００２５】
図１０は本発明の第４の実施の形態を示し、この実施の形態においては、前記かつらベース１ａの周辺部に、前記図１で示された一方のシートである雌側シート２ａの巾を細くした外方雌側シート２ｅと、該外方雌側シート２ｅの更に内方に間隔を存して二重の輪状となる同じく巾を細くした内方雌側シート２ｆとを設けた。
【００２６】
このように巾の広い１本の前記雌側シート２ａを巾の細い２本の二重の輪状の雌側シート２ｅ、２ｆにしたことにより前記かつらベース１ａ自体の柔軟性が良くなって、かつらの装着を容易にすることができる。
【００２７】
使用するときには、前記図６に示したかつら取付部材３の向きを略９０°程度まで変えて両雌側シート２ｅ、２ｆ間を橋絡するようにしたり、又、各雌側シート２ｅ、２ｆに別々に接着するなどして、該かつら取付部材３を異なる位置に移動することが可能で自毛が痛むのを防止することができる。
【００２８】
尚、前頭部に自毛を有さない人は、前記図８と同様に、かつら部材１の前頭部に当接する部分の両雌側シート２ｅ、２ｆを欠いたものを使用するようにしてもよい。
【００２９】
図１１は本発明の第５の実施の形態を示し、この実施の形態は頭部に殆ど自毛を有さない人に対して好適であり、前記かつら取付部材３の自毛に止める止めピン３ａの代りに直接頭皮に粘着可能な粘着シート１３ａとし、本実施の形態のかつら取付部材１３は、前記接離シート２の雄側シート２ｂと粘着シート１３ａと剥離紙１３ｂとにより構成されている。
【００３０】
前記粘着シート１３ａは雄側シート２ｂの裏面に塗布された粘着剤で形成されるか或いは両面接着シートで形成され、主剤としてアクリル酸エステル樹脂或いはシリコン樹脂その他種々の樹脂が使用されている。
【００３１】
又、前記剥離紙１３ｂはフッ素樹脂処理等で処理された紙で使用時に剥がされる。
【００３２】
使用する時には、前記図６では自毛の有る人を示しているが、自毛の殆ど無い人において該図６において図示されている止めピン付のかつら取付部材３に代って、同様の位置に、先ず剥離紙１３ｂを剥がしてから本実施のかつら取付部材１３を自毛の無い頭皮に直接貼る。
【００３３】
続いて、前記図７に示すと同様に、かつら部材１を被って、かつらを装着する。
【００３４】
この様に、頭部全体に自毛の無い人だけでなく、前記図８に示す前頭部に自毛の無い人にも、直接頭皮に粘着可能なかつら取付部材１３を使用することにより、かつらの装着が可能となる。
【００３５】
又、簡単に頭皮に貼ることも、剥がすこともできて、使用が簡便であり、更に、粘着シート１３ａの粘着剤の主剤がアクリル酸エステル樹脂或いはシリコン樹脂であるので人体に悪影響がない。
【００３６】
【発明の効果】
このように本発明によれば、かつら止めピンの頭上での取付け位置を変化させても、かつら部材を頭部に取付けることが可能なので、かつらの装着が容易であると共に自毛の損傷が防止でき、更に自毛の生え方が変化しても長期間にわたって使用可能なかつらを提供できる効果を有する。
【図面の簡単な説明】
【図１】本発明の第１の実施の形態のかつらのかつら部材の裏面図である。
【図２】接離シートの雌側シートの表側の斜視図である。
【図３】かつら取付部材の表側の斜視図である。
【図４】前記接離シートの雄側シートの表側の斜視図である。
【図５】前記かつら取付部材の裏側の斜視図である。
【図６】前記かつらの取付け方法を示す説明図である。
【図７】前記かつらの取付け方法を示す説明図である。
【図８】本発明の第２の実施の形態のかつらのかつら部材の裏面図である。
【図９】本発明の第３の実施の形態のかつらのかつら部材の裏面図である。
【図１０】本発明の第４の実施の形態のかつらのかつら部材の裏面図である。
【図１１】本発明の第５の実施の形態のかつら取付部材の表側の斜視図である。
【符号の説明】
１      かつら部材
１ａ    かつらベース
１ｄ    毛髪
２      接離シート
２ａ    雌側シート
２ｂ    雄側シート
２ｃ    係止受部
２ｄ    係止突部
３      かつら取付部材
３ａ    止めピン
３ｂ    ピン部
１３    かつら取付部材
１３ａ  粘着シート
【図１】
2004183120.tif 000003
【図２】
2004183120.tif 000004
【図３】
2004183120.tif 000005
【図４】
2004183120.tif 000006
【図５】
2004183120.tif 000007
【図６】
2004183120.tif 000008
【図７】
2004183120.tif 000009
【図８】
2004183120.tif 000010
【図９】
2004183120.tif 000011
【図１０】
2004183120.tif 000012
【図１１】
2004183120.tif 000013